【手続補正書】
【提出日】平成25年11月19日(2013.11.19)
【手続補正１】
【補正対象書類名】明細書
【補正対象項目名】発明の名称
【補正方法】変更
【補正の内容】
【発明の名称】情報処理装置、情報処理システム、情報処理装置の制御方法、通信状態確認方法、及びプログラム
【手続補正２】
【補正対象書類名】明細書
【補正対象項目名】０００１
【補正方法】変更
【補正の内容】
【０００１】
本発明は、通信速度の切り替えが可能な端末装置との間の通信状態を確認する技術に関する。
【手続補正３】
【補正対象書類名】明細書
【補正対象項目名】００１４
【補正方法】変更
【補正の内容】
【００１４】
本発明は上記従来技術の問題を解決するためになされたものであり、その目的は、通信速度の切り替えに伴う通信切断によるエラー通知が行われないようにして、ユーザに無用な不安を与えないようにすることができる情報処理装置等を提供することにある。 
【手続補正４】
【補正対象書類名】明細書
【補正対象項目名】００１５
【補正方法】変更
【補正の内容】
【００１５】
上記目的を達成するために本発明の情報処理装置は、端末装置と通信可能な情報処理装置であって、前記情報処理装置と前記端末装置の間の通信状態を確認する確認手段と、前記確認手段による確認の結果、前記通信状態が正常でないと判定された場合に、前記情報処理装置のユーザに対するエラー通知を行う通知手段と、前記端末装置において通信速度の切り替えが行われている間は、前記通知手段による前記エラー通知が行われないように制御する制御手段と、を備えることを特徴とする。
【手続補正５】
【補正対象書類名】明細書
【補正対象項目名】００１６
【補正方法】変更
【補正の内容】
【００１６】
また、本発明の情報処理システムは、端末装置と情報処理装置を含む情報処理システムであって、前記端末装置は、ネットワークに接続する第１接続手段と、前記ネットワークを介した通信の通信速度を切り替える切替手段と、を備え、前記情報処理装置は、前記ネットワークに接続する第２接続手段と、前記情報処理装置と前記端末装置の間の通信状態を確認する確認手段と、前記確認手段による確認の結果、前記通信状態が正常でないと判定された場合に、前記情報処理装置のユーザに対するエラー通知を行う通知手段と、前記端末装置において通信速度の切り替えが行われている間は、前記通知手段による前記エラー通知が行われないように制御する制御手段と、を備えることを特徴とする。
【手続補正６】
【補正対象書類名】明細書
【補正対象項目名】００１７
【補正方法】変更
【補正の内容】
【００１７】
本発明によれば、通信速度の切り替えに伴う通信切断によるエラー通知が行われないようにして、ユーザに無用な不安を与えないようにすることができる。
【手続補正７】
【補正対象書類名】特許請求の範囲
【補正対象項目名】全文
【補正方法】変更
【補正の内容】
【特許請求の範囲】
【請求項１】
端末装置と通信可能な情報処理装置であって、
前記情報処理装置と前記端末装置の間の通信状態を確認する確認手段と、
前記確認手段による確認の結果、前記通信状態が正常でないと判定された場合に、前記情報処理装置のユーザに対するエラー通知を行う通知手段と、
前記端末装置において通信速度の切り替えが行われている間は、前記通知手段による前記エラー通知が行われないように制御する制御手段と、
を備えることを特徴とする情報処理装置。
【請求項２】
前記端末装置からの第１通知を受信する第１受信手段を更に備え、
前記制御手段は、前記第１受信手段が受信する前記第１通知に基づいて前記端末装置において通信速度の切り替えが行われることを検出することを特徴とする請求項１に記載の情報処理装置。
【請求項３】
前記第１受信手段が受信した第１通知に対して、当該端末装置における通信速度の切り替えを許可する旨を応答する応答手段を更に備えることを特徴とする請求項２に記載の情報処理装置。
【請求項４】
前記確認手段は、前記通信状態の確認を定期的に行い、
前記制御手段は、前記端末装置において通信速度の切り替えが行われている間は、前記確認手段による前記通信状態の確認を中断させることを特徴とする請求項１乃至３のいずれか１項に記載の情報処理装置。
【請求項５】
前記端末装置からの第２通知を受信する第２受信手段を更に備え、
前記制御手段は、前記第２受信手段が受信する前記第２通知に基づいて前記端末装置において通信速度の切り替えが完了したことを検出することを特徴とする請求項１乃至４のいずれか１項に記載の情報処理装置。
【請求項６】
前記制御手段は、前記第２通知が受信されないまま所定時間が経過すると、前記通知手段による前記エラー通知を行わせることを特徴とする請求項５に記載の情報処理装置。
【請求項７】
端末装置と情報処理装置を含む情報処理システムであって、
前記端末装置は、
ネットワークに接続する第１接続手段と、
前記ネットワークを介した通信の通信速度を切り替える切替手段と、を備え、
前記情報処理装置は、
前記ネットワークに接続する第２接続手段と、
前記情報処理装置と前記端末装置の間の通信状態を確認する確認手段と、
前記確認手段による確認の結果、前記通信状態が正常でないと判定された場合に、前記情報処理装置のユーザに対するエラー通知を行う通知手段と、
前記端末装置において通信速度の切り替えが行われている間は、前記通知手段による前記エラー通知が行われないように制御する制御手段と、
を備えることを特徴とする情報処理システム。
【請求項８】
前記確認手段は、前記通信状態の確認を定期的に行い、
前記制御手段は、前記端末装置において通信速度の切り替えが行われている間は、前記確認手段による前記通信状態の確認を中断させることを特徴とする請求項７項に記載の情報処理システム。
【請求項９】
前記切替手段は、前記端末装置が省電力モードに移行するとき、または、前記端末装置が省電力モードから復帰するときに、前記通信速度の切り替えを行うことを特徴とする請求項７または８に記載の情報処理システム。
【請求項１０】
前記端末装置は、プリンタであることを特徴とする請求項７乃至９のいずれか１項に記載の情報処理システム。
【請求項１１】
端末装置と通信可能な情報処理装置の制御方法であって、
前記情報処理装置と前記端末装置の間の通信状態を確認する確認工程と、
前記確認工程における確認の結果、前記通信状態が正常でないと判定された場合に、前記情報処理装置のユーザに対するエラー通知を行う通知工程と、
前記端末装置において通信速度の切り替えが行われている間は、前記通知工程における前記エラー通知が行われないように制御する制御工程と、
を備えることを特徴とする情報処理装置の制御方法。
【請求項１２】
ネットワークに接続する第１接続手段を備える端末装置と、前記ネットワークに接続する第２接続手段を備える情報処理装置を含む情報処理システムにおける通信状態確認方法であって、
前記端末装置が、
前記ネットワークを介した通信の通信速度を切り替える切替工程と、
前記情報処理装置が、
前記情報処理装置と前記端末装置の間の通信状態を確認する確認工程と、
前記確認工程における確認の結果、前記通信状態が正常でないと判定された場合に、前記情報処理装置のユーザに対するエラー通知を行う通知工程と、
前記端末装置において通信速度の切り替えが行われている間は、前記通知工程における前記エラー通知が行われないように制御する制御工程と、
を備えることを特徴とする通信状態確認方法。
【請求項１３】
コンピュータを請求項１乃至６のいずれか１項に記載の情報処理装置の各手段として機能させるためのプログラム。